(57)【要約】      （修正有）【課題】構造が簡単で、ベルトに装着して携行し、必要時にスプレイ缶などの筒状体を直ちに取り出すことができ、汚れても水洗いが可能な筒状のホルダーを提供する。【解決手段】円形の底面と壁面とにより形成され、液体の入った円筒体（スプレイ缶３０）を収容する筒状のホルダー１０であって、収容された該円筒体の底部との間に空気の流通経路を形成する経路形成手段と、壁面の外側に形成されたベルト通し２０と、を備えたことを特徴とする。【選択図】図３
0003215769.tif 000002
【実用新案登録請求の範囲】
【請求項１】
円形の底面と壁面とにより形成され、液体の入った円筒体を収容する筒状のホルダーであって、
収容された該円筒体の底部との間に空気の流通経路を形成する経路形成手段と、前記壁面の外側に形成されたベルト通しと、を備えたことを特徴とするホルダー。
【請求項２】
前記経路形成手段は、前記底面に形成された少なくとも１つの穴、若しくは突起又は該底面に配置された弦巻バネであることを特徴とする請求項１記載のホルダー。
【考案の詳細な説明】
【技術分野】
【０００１】
本考案は、スプレイ式殺虫剤が入ったスプレイ缶などの筒状体を収容し、ベルトに通して携行するホルダーに関するものである。
【背景技術】
【０００２】
野良仕事や庭の手入れをしていると、スズメバチや藪蚊に襲われることがあるので、それらを撃退するため、スプレイ缶入りの殺虫剤を噴霧すると効果的である。
しかし、スプレイ缶などをポケットに入れて携行するのは作業の邪魔になるので、市販されているホルダーに収容する方法も考えられるが、それらのホルダーは、布や皮でおしゃれに作られているほか、蓋付のため、スプレイ缶などを咄嗟に取り出すことができなかったり、農作業等での使用では、一度で汚れてしまい、その汚れの除去が難しい。
また現在、ペットボトル入り飲料が普及し、それらを収納し、行楽、スポーツ、通勤・通学にペットボトルホルダーに入れて携行する機会が多いが、ペットボトルを底部から挿入する方法は、出し入れがスムースにゆかないため、ホルダーの底部を開閉自在にし、頭部から挿入するペットボトルホルダーが開示されている（特許文献１参照）。
また、薬剤を散布するためには、立った状態での作業を前提とした背負形の動力噴霧器があるが、床下等の狭い場所で害虫駆除する作業には使用することができない。
そこで、エアゾール缶を入れる保持部材にベルトを挿入係合し、常時垂直状態を保持するように、回転自在なベルトホルダーを備えたエアゾール支持装置が開示されている（特許文献１参照）。
さらに、スプレイ缶を使用して高所で噴霧する場合に、梯子や脚立に上って作業する必要があり、危険を伴うほか、薬剤を吸い込む機会が多く健康衛生上好ましくないので、長竿にスプレイ缶保持部材と、作用部材と、手元操作部材と、動作伝達部材とを備えたスプレイ缶噴霧装置が開示されている（特許文献３参照）
【先行技術文献】
【特許文献】
【０００３】
【特許文献１】特開平１１−２２７７７２号公報
【特許文献２】特開平８−１１９５３号公報
【特許文献１】特開２００１−２８６７９６号公報
【考案の概要】
【考案が解決しようとする課題】
【０００４】
しかしながら、開示された上記のものは、構造が複雑でコスト高であるうえ、収容されたスプレイ缶などを咄嗟に取り出すことが難しい。
本考案は、構造が簡単で、ベルトに装着して携行し、必要時にスプレイ缶などの円筒体を直ちに取り出すことができ、汚れても水洗いが可能な筒状のホルダーを提供することを目的とする。
【課題を解決するための手段】
【０００５】
本考案のホルダーは、円形の底面と壁面とにより形成され、液体の入った円筒体を収容する筒状のホルダーであって、収容された該円筒体の底部との間に空気の流通経路を形成する経路形成手段と、上記壁面の外側に形成されたベルト通しと、を備えたことを特徴とする。
ホルダーをこのように構成すれば、製造が容易であるうえ、収容された円筒体を咄嗟に取り出すことができる。
その場合、上記経路形成手段は、上記底面に形成された少なくとも１つの穴、若しくは突起又は該底面に配置された弦巻バネであることが好ましい。
このような経路形成手段は、設置が容易であるうえ、円筒体との空気抵抗をなくし、取り出す際の抵抗をなくすことができる。
【考案の効果】
【０００６】
本考案のホルダーによれば、腰ベルトに装着しスプレイ缶などの円筒体を収容して携行し、必要時に直ちに取り出すことができるうえ、汚れても水洗いすることができる。
【図面の簡単な説明】
【０００７】
【図１】図１は、本実施形態のホルダーを一例として示す正面図である。
【図２】図２は、本実施形態のホルダーを一例として示す底面図である。
【図３】図３は、スプレイ缶を収容した斜視図である。
【図４】図４は、経路形成手段の他の例の突起を示す図である。
【図５】図５は、経路形成手段の他の例である底面に配置された弦巻バネを示す図である。
【考案を実施するための形態】
【０００８】
以下に本考案のホルダーについて図に基づいて説明する。
図１から図３は、本実施形態のホルダーを一例として示す図であり、図１は正面図、図２は底面図、図３はスプレイ缶を収容した斜視図である。
図１から図３に示すホルダー１０は、円形の底面１１とその底面１１の周囲を取り囲む壁面１２とによって形成された円筒状のもので、底面１１には、複数の穴（本考案の「経路形成手段」に相当する。）１３が設けてあり、周囲の壁面１２には、腰に装着するためのベルト通し２０が設けてある。
本実施形態におけるホルダー１０の本体は、樹脂、ステンレス、あるいは鉄などの金属を成形加工したものであり、鉄などの場合は、さらにメッキ若しくは塗装を施すことで、さびにくくすることが好ましい。また、ベルト通し２０は、皮革、若しくは樹脂製の帯をホルダー１０の壁面１２に接着剤で固定するか、あるいは鋲で固定することにより環状に設置される。
ホルダー１０の大きさは、スプレイ缶３０が手で取り出しやすく、かつホルダー１０から抜け落ちないように、壁面１２の高さをスプレイ缶３０の高さの２／３程度、すなわち１０ｃｍから１５ｃｍにし、開口部の大きさ、すなわち底面１１の大きさを、スプレイ缶３０の外径よりも少し大きくなる程度、すなわち７ｃｍ乃至８ｃｍとすることが好ましい。
ただし、ここで示す大きさは、一例であって、必ずしもこれらの数値に限定する必要はない。
また、底面の穴１３は、本実施形態では５つ設けてあるが、必ずしも５つ設ける必要はなく、収容されたスプレイ缶（本考案の「液体の入った円筒体」に相当する。以下同じ。）が空気抵抗によって取り出しにくい状態にならない程度であれば、いくつ設けてもよい。
本実施形態の円筒体には、スプレイ缶が収容されているが、スプレイ缶に限定する必要はなく、エアゾール缶や、農薬・塗料などの缶であってもよいし、ペットボトルであってもよい。
【０００９】
図４及び図５は、経路形成手段の他の例を示す図であり、図４は、底面に複数の突起が形成された例を示す図、図５は、底面に弦巻バネが設置された例を示す図である。
図４に示す経路形成手段は、スプレイ缶３０の底部と接する底面１１に形成された複数の突起１４である。
これらの突起１４は、ホルダー１０を成形する際に設けてもよいし、エンボス加工された布、樹脂、皮などを底面に配置してもよい。
これらの突起１４を設けることにより、スプレイ缶３０底面との間に空隙が生じ、スプレイ缶３０を取り出す際の空気抵抗をなくすことができる。
図５に示す経路形成手段は、ホルダー１０の底面１１に設置される弦巻バネ１５である。スプレイ缶３０をホルダーに入れると、その重みで弦巻バネ１５の高さは低くなるが、重量と釣り合う位置で停止し、スプレイ缶３０の底部との間に空隙が生じるので、スプレイ缶３０を取り出す際の空気抵抗をなくすことができる。またスプレイ缶３０は、常時弦巻バネ１５の布勢力を受けているので、スプレイ缶３０を取り出す際に持ち上げる力を軽減することができる。
【符号の説明】
【００１０】
１０    ホルダー
１１    底面
１２    壁面
１３    穴
１４    突起
１５    弦巻バネ
２０    ベルト通し
３０    スプレイ缶
【図１】
0003215769.tif 000003
【図２】
0003215769.tif 000004
【図３】
0003215769.tif 000005
【図４】
0003215769.tif 000006
【図５】
0003215769.tif 000007